(57)【要約】【課題】アームを回動させるために必要な力を低減させることができる表示装置取付具を得る。【解決手段】垂直軸２１１と、垂直軸２１１を中心に回動可能に設けられ、垂直軸２１１から径方向外側に離れて設けられた表示装置１を支持するアーム２３とを備え、アーム２３が回動することによって、表示装置１の水平方向の位置が変化する表示装置取付具２であって、表示装置１と垂直軸２１１との間に設けられ、アーム２３を支持するローラ２２２と、表示装置１との間に垂直軸２１１が配置されるように設けられ、アーム２３を支持するローラ２２２とを備えている。【選択図】図３
2014107808.tif 000002
【特許請求の範囲】
【請求項１】
回動軸と、前記回動軸を中心に回動可能に設けられ、前記回動軸から径方向外側に離れて設けられた表示装置を支持するアームとを備え、前記アームが回動することによって、前記表示装置の水平方向の位置が変化する表示装置取付具であって、
前記表示装置と前記回動軸との間に設けられ、前記アームを支持する第１の支持部材と、
前記表示装置との間に前記回動軸が配置されるように設けられ、前記アームを支持する第２の支持部材と
を備えたことを特徴とする表示装置取付具。
【請求項２】
前記第１の支持部材および前記第２の支持部材の少なくとも一方は、前記回動軸の径方向に延びた回転軸を中心に回転するローラであることを特徴とする請求項１に記載の表示装置取付具。
【請求項３】
前記アームは、前記回動軸を中心に１８０°回動可能であることを特徴とする請求項１または請求項２に記載の表示装置取付具。
【発明の詳細な説明】
【技術分野】
【０００１】
この発明は、取付対象部材に設けられ、表示装置の水平方向の位置が変化するように表示装置を支持する表示装置取付具に関する。
【背景技術】
【０００２】
従来、取付対象部材に設けられ、取付対象部材の表面に対して垂直に立てられた回動軸と、回動軸を中心に回動可能に設けられ、回動軸から径方向外側に離れて設けられた表示装置を支持するアームと、回動軸と表示装置との間に設けられ、アームを支持する支持部材とを備え、回動軸を中心にアームが回動することによって、表示装置の水平方向の位置が変化する表示装置取付具が知られている（例えば、特許文献１参照）。
【先行技術文献】
【特許文献】
【０００３】
【特許文献１】特許第４０３８５４３号公報
【発明の概要】
【発明が解決しようとする課題】
【０００４】
しかしながら、表示装置が回動軸から径方向外側に離れて設けられるので、表示装置の重量が大きくなる場合には、アームに作用する表示装置の重力モーメントが大きくなる。これにより、アームを回動させるためは、大きな力が必要となってしまう。その結果、モータを有した電動駆動装置を用いてアームを回動させる場合には、電動駆動装置には大きな駆動力が必要となり、電動駆動装置が大型化してしまうという問題点があった。
【０００５】
この発明は、アームを回動させるために必要な力を低減させることができる表示装置取付具を提供するものである。
【課題を解決するための手段】
【０００６】
この発明に係る表示装置取付具は、回動軸と、回動軸を中心に回動可能に設けられ、回動軸から径方向外側に離れて設けられた表示装置を支持するアームとを備え、アームが回動することによって、表示装置の水平方向の位置が変化する表示装置取付具であって、表示装置と回動軸との間に設けられ、アームを支持する第１の支持部材と、表示装置との間に回動軸が配置されるように設けられ、アームを支持する第２の支持部材とを備えている。
【発明の効果】
【０００７】
この発明に係る表示装置取付具によれば、表示装置と回動軸との間に設けられ、アームを支持する第１の支持部材と、表示装置との間に回動軸が配置されるように設けられ、アームを支持する第２の支持部材とを備えているので、アームを回動させるために必要な力を低減させることができる。
【図面の簡単な説明】
【０００８】
【図１】この発明の実施の形態１に係る表示装置システムを示す斜視図である。
【図２】図１の表示装置システムを示す側面図である。
【図３】図２の表示装置システムを示す断面図である。
【図４】図３の基部、回動板、アームおよび第２の電動回動機構を示す拡大図である。
【図５】図４の押え部材を基部本体から取り外した場合の表示装置システムを示す平面図である。
【図６】図５のローラを示す斜視図である。
【図７】図５の対向する一対のローラの相対位置を示す図である。
【図８】従来の表示装置システムにおけるアームの回動範囲を示す平面図である。
【図９】図１の表示装置システムにおけるアームの回動範囲を示す平面図である。
【発明を実施するための形態】
【０００９】
実施の形態１．
図１はこの発明の実施の形態１に係る表示装置システムを示す斜視図、図２は図１の表示装置システムを示す側面図、図３は図２の表示装置システムを示す断面図である。図において、表示装置システムは、表示装置１と、表示装置１を支持する表示装置取付具２とを備えている。表示装置取付具２は、取付対象部材３に設けられる。
【００１０】
表示装置取付具２は、垂直軸（回動軸）２１１を有した台部２１と、台部２１に設けられ、垂直軸２１１を中心に回動する回転板２２と、回転板２２に固定され、垂直軸２１１から径方向外側に向かって延びて形成され、回転板２２とともに垂直軸２１１を中心に回動するアーム２３と、アーム２３に回動可能に設けられ、表示装置１が取り付けられる回動部材２４と、アーム２３と回動部材２４とに渡って設けられたバランス装置２５と、回動部材２４を回動させる第１の電動回動機構２６と、回転板２２およびアーム２３を回動させる第２の電動回動機構２７とを備えている。
【００１１】
回動部材２４は、アーム２３の先端部に設けられ水平方向に延びた水平軸２４１と、水平軸２４１を中心に回動する回動部材本体２４２とを有している。
【００１２】
バランス装置２５は、一端部が回動部材本体２４２に取り付けられ、他端部がアーム２３に取り付けられたねじりコイルばねから構成されている。バランス装置２５は、表示装置１における水平軸２４１まわりの重力モーメントと釣り合いを取るようになっている。
【００１３】
第１の電動回動機構２６は、モータを有している。第１の電動回動機構２６は、モータに発生する駆動力によって、水平軸２４１を中心に回動部材本体２４２を回動させる。これにより、表示装置１が水平軸２４１を中心に回動する。
【００１４】
図４は図３の台部２１、回転板２２、アーム２３および第２の電動回動機構２７を示す拡大図である。図において、台部２１は、有底円筒形状に形成され中心に垂直軸２１１が立てられた台部本体２１２と、台部本体２１２の上部に設けられた円板形状の押え部材２１３と、押え部材２１３を台部本体２１２に固定する複数のねじ２１４とを有している。押え部材２１３の中心部分には、垂直軸２１１、回転板２２および第２の電動回動機構２７が挿入される貫通孔２１５が形成されている。
【００１５】
回転板２２は、円盤形状に形成された回動板本体２２１と、回動板本体２２１の外周部分に設けられた複数のローラ２２２とを有している。
【００１６】
表示装置１と垂直軸２１１との間にあるローラ（第１の支持部材）２２２、つまり、アーム２３の下方にあるローラ２２２は、台部本体２１２の底面に当接する。これにより、表示装置１と垂直軸２１１との間にあるローラ２２２は、アーム２３に作用する表示装置１の重力モーメントの方向と同じ方向の荷重をアーム２３から受けるように、アーム２３を支持する。
【００１７】
表示装置１との間に垂直軸２１１が配置されるローラ（第２の支持部材）２２２は、押え部材２１３に当接する。これにより、表示装置１との間に垂直軸２１１が配置されるローラ２２２は、アーム２３に作用する表示装置１の重力モーメントの方向と反対の方向の荷重をアーム２３から受けるように、アーム２３を支持する。
【００１８】
第２の電動回動機構２７は、モータを有している。第２の電動回動機構２７は、モータに発生する駆動力によって、垂直軸２１１を中心にアーム２３を回動させる。これにより、表示装置１が垂直軸２１１を中心に回動して、表示装置１の水平方向の位置が変化する。
【００１９】
図５は図４の押え部材２１３を台部本体２１２から取り外した場合の表示装置システムを示す平面図、図６は図５のローラ２２２を示す斜視図である。図において、ローラ２２２は、回動板本体２２１の周方向に並べて配置されている。各ローラ２２２は、回転軸が垂直軸２１１の径方向に延びるように配置されている。これにより、回動板本体２２１が垂直軸２１１を中心に潤滑に回動することができる。
【００２０】
図７は図５の対向する一対のローラ２２２の相対位置を示す図である。対向する一対のローラ２２２の間の距離Ｌ１と、表示装置１との間に垂直軸２１１が配置されるローラ２２２と表示装置１との間の距離Ｌ２との差が可能な限り小さくなるように、ローラ２２２が配置されている。これにより、ローラ２２２にかかる負荷が最小となり、ローラ２２２およびローラ２２２を支持する回動板本体２２１の耐久性を向上させることができる。
【００２１】
図８は従来の表示装置システムにおけるアームの回動範囲を示す平面図、図９は図１の表示装置システムにおけるアーム２３の回動範囲を示す平面図である。図において、従来の表示装置システムのアームと比較して、本願の表示装置システムのアーム２３は、長手方向の寸法を小さくすることができ、その結果、アーム２３は、垂直軸２１１を中心に１８０°回動可能となっている。
【００２２】
次に、表示装置取付具２の動作について説明する。第１の電動回動機構２６のモータが駆動することによって、回動部材２４が水平軸２４１を中心に回動する。これにより、表示装置１が水平軸２４１を中心に回動する。
【００２３】
第２の電動回動機構２６のモータが駆動することによって、アーム２３が垂直軸２１１を中心に回動する。これにより、表示装置１が垂直軸２１１を中心に回動して、表示装置１の水平方向の位置が変化する。
【００２４】
以上説明したように、この発明の実施の形態１に係る表示装置取付具２によれば、表示装置１と垂直軸２１１との間に設けられ、アーム２３を支持するローラ２２２と、表示装置１との間に垂直軸２１１が配置されるように設けられ、アーム２３を支持するローラ２２２とを備えているので、アーム２３を回転させるために必要な力を低減させることができる。
【００２５】
また、ローラ２２２がアーム２３を支持するので、垂直軸２１１を中心にアーム２３を潤滑に回動させることができる。
【００２６】
また、アーム２３は、垂直軸２１１を中心に１８０°回動可能であるので、表示装置取付具２が設置される取付対象部材３の利便性を向上させることができる。
【００２７】
なお、上記実施の形態１では、第１の支持部材および第２の支持部材の両方が、ローラ２２２である構成について説明したが、第１の支持部材および前記第２の支持部材の少なくとも一方が、ローラ２２２であってもよく、また、いずれもローラ２２２でない場合であってもよい。
【符号の説明】
【００２８】
１  表示装置、２  表示装置取付具、３  取付対象部材、２１  台部、２２  回転板、２３  アーム、２４  回動部材、２５  バランス装置、２６  第１の電動回動機構、２７  第２の電動回動機構、２１１  垂直軸（回動軸）、２１２  台部本体、２１３  押え部材、２１４  ねじ、２１５  貫通孔、２２１  回動板本体、２２２  ローラ（第１の支持部材、第２の支持部材）、２４１  水平軸、２４２  回動部材本体。
【図１】
2014107808.tif 000003
【図２】
2014107808.tif 000004
【図３】
2014107808.tif 000005
【図４】
2014107808.tif 000006
【図５】
2014107808.tif 000007
【図６】
2014107808.tif 000008
【図７】
2014107808.tif 000009
【図８】
2014107808.tif 000010
【図９】
2014107808.tif 000011